(57)【要約】【課題】  薬粉収容部内に収容された薬粉をその特性に応じて拡散し、投薬効率を向上する。【解決手段】  ブリスタパック２１の薬粉収容部２５には、流入穴Ｈ1 と流出穴Ｈ2 との間に位置し膨出部２３の絞り部２３Ｃによって絞り通路２６を設ける構成としている。これにより、流入穴Ｈ1 から流出穴Ｈ2 に流れる空気流の流速を絞り通路２６によって速めることができ、また、絞り通路２６の通路面積を調整することによって薬粉の特性に応じた空気流を形成することができる。従って、薬粉に適した空気流によって薬粉収容部２５内の薬粉を拡散して空気流中に効率よく混在させることができるから、薬粉収容部２５に収容された規定量の薬粉を患者に投与することができる。【選択図】        図１２
2006142102.tif 000002
【特許請求の範囲】
【請求項１】
膨出部が形成された底板と、該底板の表面側に設けられ前記膨出部を閉塞して薬粉収容部を画成する蓋板とからなるブリスタパックにおいて、前記膨出部を貫通して穿設される流入穴と流出穴との間に絞り通路を設けたことを特徴とするブリスタパック。
【請求項２】
前記絞り通路には吸気動作時に開弁する弁体を設けてなる請求項１に記載のブリスタパック。
【請求項３】
膨出部が形成された底板と、該底板の表面側に設けられ前記膨出部を閉塞して薬粉収容部を画成する蓋板とからなるブリスタパックにおいて、前記膨出部を貫通して穿設される流入穴と流出穴との間に薬粉を貯留する薬粉溜り部を凹陥して設けたことを特徴とするブリスタパック。
【請求項４】
膨出部が形成された底板と、該底板の表面側に設けられ前記膨出部を閉塞して薬粉収容部を画成する蓋板とからなるブリスタパックにおいて、前記膨出部には該膨出部を貫通して穿設される流入穴側が浅底部となり、流出穴側が深底部となるように傾斜面を設けたことを特徴とするブリスタパック。
【請求項５】
膨出部が形成された底板と、該底板の表面側に設けられ前記膨出部を閉塞して薬粉収容部を画成する蓋板とからなるブリスタパックにおいて、前記膨出部には該膨出部を貫通して穿設される流入穴側が深底部となり、流出穴側が浅底部となるように傾斜面を設けたことを特徴とするブリスタパック。
【発明の詳細な説明】
【技術分野】
【０００１】
本発明は、例えば患者の息の吸込みによって薬粉を肺内に投与する吸入式投薬器に用いて好適なブリスタパックに関する。
【背景技術】
【０００２】
一般に、喘息患者等のための薬粉の投与方法のうち、カプセル内に充填された薬粉を吸入する方法に用いる吸入式投薬器は、軸方向の一側がカプセル収容室となり、他側が薬粉を吸入する吸入口となった投薬器本体と、前記カプセル収容室を経由して大気側と吸入口とを連通する通気路と、前記カプセルに該通気路に連通する穴をあける穴あけ具とによって大略構成されている。
【０００３】
また、吸入式投薬器には、１回分の薬粉を収容した薬粉収容部が周方向に複数設けられたブリスタパックを用いて薬粉を投与するものが知られている（例えば、特許文献１，２参照）。
【０００４】
さらに、この吸入式投薬器に用いられる従来技術のブリスタパックは、多数の膨出部が形成された底板と、該底板の表面側に貼り付けられ前記膨出部を閉塞して薬粉収容部を画成する蓋板とによって大略構成され、薬粉収容部内には粉体状の薬品（薬粉）が収容されている。
【０００５】
そして、薬粉を投与するときには、針状をなした１本のプランジャによってブリスタパックに穴をあけ、薬粉収容部を吸入口に連通する。これにより、患者は、吸入口をくわえて息を吸込むことにより、薬粉収容部内の薬粉を吸入口から肺内に吸込むことができる。
【０００６】
また、次回の投薬時には、ブリスタパックを回転させ、他の薬粉収容部を吸入口に連通することにより、カプセル等を交換することなく、続けて薬粉を吸入することができる。
【０００７】
【特許文献１】特開昭５９−８８１５８号公報
【特許文献２】特開昭６２−４１６６８号公報
【発明の開示】
【発明が解決しようとする課題】
【０００８】
ところで、上述した従来技術によるブリスタパックは、１本のプランジャによってブリスタパックに穴をあけているから、該ブリスタパックには、ほぼ真直に貫通する２個の穴が形成されることになる。このため、薬粉収容部に流入する空気流は、２個の穴間で該薬粉収容部内を直線的に流通するだけである。
【０００９】
従って、投与する薬粉の特性、例えば粒の大きさ（微粉末、顆粒等）、凝集性の強さ、１回に投与される薬粉の量等が異なる場合でも、空気流の流速、方向等が一定になってしまう。このため、薬粉収容部内に収容された薬粉を確実に拡散することができないから、該薬粉収容部内に薬粉が残ってしまい、患者に規定量の薬粉を投与することができず、薬粉の効能が低下するという問題がある。
【００１０】
本発明は、上述した従来技術の問題に鑑みなされたもので、本発明の目的は、薬粉収容部内に収容された薬粉をその特性に応じて拡散し、投薬効率を向上することができようにしたブリスタパックを提供することにある。
【課題を解決するための手段】
【００１１】
本発明によるブリスタパックは、膨出部が形成された底板と、該底板の表面側に設けられ前記膨出部を閉塞して薬粉収容部を画成する蓋板とからなる。
【００１２】
そして、上述した課題を解決するために、請求項１の発明が採用する構成の特徴は、膨出部を貫通して穿設される流入穴と流出穴との間に絞り通路を設けたことにある。
【００１３】
このように構成したことにより、流入穴から薬粉収容部内に流入した空気流は、流出穴に向けて流れるときに絞り通路を通ることによって流速を速めるから、この絞り通路の通路面積を薬粉の特性に応じて適宜調整することにより、薬粉の特性に応じた最適な空気流を形成することができる。
【００１４】
請求項２の発明によると、絞り通路には吸気動作時に開弁する弁体を設けたことにある。
【００１５】
このように構成したことにより、吸気動作時の吸入力が弱い場合には、弁体は絞り通路を閉弁している。そして、吸入力が薬粉を拡散できる程度に強くなったときには、弁体は絞り通路を開弁して空気流の流通を許す。従って、吸入力が弱い状態での投薬を規制し、空気流が薬粉を十分に拡散できる状態となったときにのみ投薬を許すことができる。
【００１６】
また、請求項３の発明が採用する構成の特徴は、膨出部を貫通して穿設される流入穴と流出穴との間に薬粉を貯留する薬粉溜り部を凹陥して設けたことにある。
【００１７】
このように構成したことにより、流入穴から薬粉収容部内に流入した空気流は、流出穴に向けて流れるときに薬粉溜り部の上側から徐々に薬粉を巻き上げ、この薬粉を拡散するから、少量の薬粉を空気中に均一に分散させた状態とすることができる。
【００１８】
一方、請求項４の発明が採用する構成の特徴は、膨出部には該膨出部を貫通して穿設される流入穴側が浅底部となり、流出穴側が深底部となるように傾斜面を設けたことにある。
【００１９】
このように構成したことにより、薬粉収容部内の薬粉は傾斜面によって流出穴の周囲に溜った状態となるから、流入穴から流出穴に流れる空気流は、流出穴の周囲に溜った薬粉を押出すように一気に流出させることができる。
【００２０】
さらに、請求項５の発明が採用する構成の特徴は、膨出部には該膨出部を貫通して穿設される流入穴側が深底部となり、流出穴側が浅底部となるように傾斜面を設けたことにある。
【００２１】
このように構成したことにより、薬粉収容部内の薬粉は傾斜面によって流入穴の周囲に溜った状態となるから、流入穴から流入する空気流を薬粉に直接的に当てて該薬粉を拡散することができ、この空気流中に薬粉を均一に分散することができる。
【発明の効果】
【００２２】
上述した通り、請求項１の発明によれば、膨出部を貫通して穿設される流入穴と流出穴との間に絞り通路を設けているので、流入穴から薬粉収容部内に流入した空気流が流出穴に向けて流れるときに、絞り通路によって流速を速めることができるから、この絞り通路の通路面積を薬粉の特性に応じて適宜調整することにより、薬粉の特性に応じた最適な空気流を形成することができる。この結果、薬粉収容部に収容された規定量の薬粉を患者に投与することができ、薬粉の効能を高めて信頼性を向上することができる。
【００２３】
請求項２の発明によれば、絞り通路には吸気動作時に開弁する弁体を設けているので、吸気動作時の吸入力が弱い場合には、弁体によって絞り通路を閉弁することができる。そして、吸入力が薬粉を拡散できる程度に強くなったときには、弁体は絞り通路を開弁して空気流の流通を許すことができる。従って、吸入力が弱い状態での投薬を規制し、空気流が薬粉を十分に拡散できる状態となったときにのみ投薬を許すことができるから、吸入力の強弱に対応して間欠的（パルス的）に薬粉を投与することができ、薬粉を十分に拡散して投薬効率を向上することができる。
【００２４】
請求項３の発明によれば、膨出部を貫通して穿設される流入穴と流出穴との間に薬粉を貯留する薬粉溜り部を凹陥して設けているので、流入穴から薬粉収容部内に流入した空気流が流出穴に向けて流れるときに、この空気流によって薬粉溜り部の上側から徐々に薬粉を巻き上げ、この薬粉を拡散することができるから、少量の薬粉を空気中に均一に分散させた状態とすることができる。
【００２５】
この結果、薬粉が一気に流れて流出穴が詰るような事態を防止することができる上に、気管等が弱い患者に対して投薬を行なう場合でも、少量ずつ薬粉を吸込ませることにより投薬時の咳込みを防止することができ、安定した投薬を行なうことができる。
【００２６】
請求項４の発明によれば、膨出部には該膨出部を貫通して穿設される流入穴側が浅底部となり、流出穴側が深底部となるように傾斜面を設けているので、薬粉収容部内の薬粉を傾斜面によって流出穴の周囲に溜った状態とすることができるから、流入穴から流出穴に流れる空気流により流出穴の周囲に溜った薬粉を押出すように一気に流出させることができる。この結果、薬粉収容部内に収容された薬粉を短時間で吸入することができ、患者の負担を軽減することができる。
【００２７】
請求項５の発明によれば、膨出部には該膨出部を貫通して穿設される流入穴側が深底部となり、流出穴側が浅底部となるように傾斜面を設けているので、薬粉収容部内の薬粉を傾斜面によって流入穴の周囲に溜った状態とすることができるから、流入穴から流入する空気流を薬粉に直接的に当てて該薬粉を拡散することができる。この結果、薬粉収容部内で薬粉を空気流全体に均一に分散させることができ、薬粉を少量ずつ安定して供給することができる。
【発明を実施するための最良の形態】
【００２８】
以下、本発明の実施の形態によるブリスタパックを吸入式投薬器に用いた場合を例に挙げ、添付図面に従って詳細に説明する。
【００２９】
まず、図１ないし図１２は本発明の第１の実施の形態を示す。最初に本実施の形態に適用される吸入式投薬器の構成について図１ないし図７を参照して説明する。
【００３０】
１は吸入式投薬器の本体をなす投薬器本体で、該投薬器本体１は、後述するボディ２と吸入口７とによって大略構成されている。
【００３１】
２は投薬器本体１のボディで、該ボディ２は、図３、図４に示す如く、後述する上板部４と下板部５とを連結すると共に、吸入口７が取付けられる円筒状の連結部３と、該連結部３から軸方向に延びた半円柱状の上板部４と、該上板部４の下側に隙間をもって前記連結部３から軸方向に延びた半円柱状の下板部５と、該各板部４，５間に形成された後述のホルダ装着溝６とによって構成され、全体としてほぼ円柱状をなしている。また、連結部３の内周側には吸入口７が螺着される雌ねじ３Ａが刻設され、上板部４の外周側には、後述する穴あけ具１２の支持部１３を可動に支持する穴あけ具ガイド４Ａが設けられている。
【００３２】
６はボディ２に設けられたホルダ装着溝で、該ホルダ装着溝６は、連結部３側が溝奥面６Ａとなると共に、上板部４の下面を天井面６Ｂとし、下板部５の上面を底面６Ｃとして形成されている。これにより、ホルダ装着溝６は、軸方向の一側、左方向および右方向の三方向に開口して形成されている。また、溝奥面６Ａは、ホルダ８の外周形状に対応して凹円弧状をなしている。
【００３３】
また、ホルダ装着溝６には、底面６Ｃのほぼ中央部に位置して中心突起６Ｄが上向きに突設され、該中心突起６Ｄはホルダ８の回転中心となるもので、後述する案内溝８Ｅに係合する。
【００３４】
７はボディ２の連結部３に取付けられた吸入口で、該吸入口７は、基端側の外周に雄ねじ７Ａが刻設され、先端側が漸次縮径している。また、吸入口７の基端側寄りには、複数個の補助通気孔７Ｂ，７Ｂ，…（２個のみ図示）が径方向に貫通して形成され、該補助通気孔７Ｂは、吸入口７から息を吸込んだときに該吸入口７内に外気を取入れることにより、吸気時の息苦しさを軽減するものである。そして、吸入口７は雄ねじ７Ａを連結部３の雌ねじ３Ａに螺着することにより、ボディ２に取付けられている。
【００３５】
８はボディ２のホルダ装着溝６に着脱可能にして回転可能に装着されたホルダで、該ホルダ８は、図６、図７に示すように、ほぼ円形の板状体として形成されている。また、ホルダ８の表面側には、外周寄りに位置し周方向に４５度の間隔をもって後述するブリスタパック２１の膨出部２３が嵌合する８個の嵌合凹部８Ａ，８Ａ，…が凹設され、該各嵌合凹部８Ａには、ホルダ８の径方向に離間して流入側のピン穴８Ｂと流出側のピン穴８Ｃとが厚さ方向に貫通して形成されている。
【００３６】
一方、ホルダ８の裏面側には、流入側の各ピン穴８Ｂよりも内周側で各ピン穴８Ｂ，８Ｃに対応して４５度の間隔で８個の係合凹部８Ｄ，８Ｄ，…が設けられ、該各係合凹部８Ｄには、後述する位置決め機構９の球体９Ｂが係合する。また、ホルダ８の裏面側には、該ホルダ８の回転中心から径方向に延びる案内溝８Ｅが設けられ、該案内溝８Ｅはホルダ装着溝６の中心突起６Ｄをホルダ８の回転中心に案内するものである。
【００３７】
そして、ホルダ８は、その表面側に後述するブリスタパック２１を保持した状態で、案内溝８Ｅを中心突起６Ｄに係合させてホルダ装着溝６に差し込むことにより、該ホルダ装着溝６に回転可能に装着される。
【００３８】
９，９はボディ２に設けられた位置決め機構（図５参照）で、該各位置決め機構９は、中心突起６Ｄを挟むように位置し、ホルダ装着溝６の底面６Ｃ（下板部５）に凹設された収容穴９Ａと、該収容穴９Ａに抜止め状態で収容された球体９Ｂと、前記収容穴９Ａ内に位置して該球体９Ｂを突出方向に付勢するコイルばね９Ｃとによって構成されている。
【００３９】
そして、位置決め機構９は、ホルダ装着溝６にホルダ８を装着し、この状態で該ホルダ８を回転させたときに、球体９Ｂをホルダ８の係合凹部８Ｄに係合し、各嵌合凹部８Ａ（ブリスタパック２１の薬粉収容部２５）のうちの一つを後述の穴あけ具１２による穴あけ位置、即ち薬粉を投与する投薬位置に位置決めするものである。
【００４０】
１０はボディ２に設けられた流入側通気路で、該流入側通気路１０は、外部の空気をホルダ８の嵌合凹部８Ａに向け流通させるものである。そして、流入側通気路１０は、上板部４内を軸方向に延び一端側が上板部４の端面で大気側に開口した上流入通路１０Ａと、下板部５内を軸方向に延び一端側が下板部５の端面で大気側に開口した下流入通路１０Ｂと、穴あけ具ガイド４Ａ内から該各流入通路１０Ａ，１０Ｂの他端に連通するように上板部４と下板部５に亘って径方向に形成されたピン挿通穴１０Ｃとによって構成され、前記ピン挿通穴１０Ｃはホルダ８のピン穴８Ｂと連通可能な位置に形成されている。
【００４１】
また、１１はボディ２に設けられた流出側通気路で、該流出側通気路１１は、ブリスタパック２１の薬粉収容部２５内の薬粉を吸入口７側に流出させるものである。そして、流出側通気路１１は、ホルダ８のピン穴８Ｃと連通するように流入側通気路１０のピン挿通穴１０Ｃと平行に延びたピン挿通穴１１Ａと、上板部４から連結部３に亘って軸方向に延び一端側が該ピン挿通穴１１Ａに連通し他端側が吸入口７内に開口した上流出通路１１Ｂと、下板部５から連結部３に亘って軸方向に延び一端側が該ピン挿通穴１１Ａに連通し他端側が吸入口７内に開口した下流出通路１１Ｃとによって構成されている。
【００４２】
１２は後述するブリスタパック２１に穴あけを施すための穴あけ具で、該穴あけ具１２は、図１に示すように、穴あけ具ガイド４Ａ内に可動に支持された支持部１３と、基端側が該支持部１３に取付けられ、先端側がピン挿通穴１０Ｃ，１１Ａ内に延びたピン１４，１４と、前記支持部１３と上板部４との間に設けられた戻しばね１５とによって大略構成されている。
【００４３】
ここで、穴あけ具１２は、支持部１３を戻しばね１５に抗して穴あけ具ガイド４Ａ内に押込み、ピン１４，１４をピン挿通穴１０Ｃ，１１Ａ内に挿入することにより、該ピン１４，１４の先端をブリスタパック２１に貫通させ、薬粉収容部２５を画成している底板２２の膨出部２３と蓋板２４とにそれぞれ流入穴Ｈ1 と流出穴Ｈ2 （後述する図１１、図１２に図示）をあけるものである。また、支持部１３への押圧力を取除くと、戻しばね１５の付勢力によって該支持部１３、ピン１４，１４が初期位置まで後退する。
【００４４】
次に、上述した吸入式投薬器に用いられる本実施の形態によるブリスタパックについて図８ないし図１０に従って説明する。
【００４５】
２１は吸入式投薬器に着脱可能に装着される本実施の形態によるブリスタパックで、該ブリスタパック２１は、後述する底板２２、蓋板２４、薬粉収容部２５、絞り通路２６等によって構成されている。
【００４６】
２２はブリスタパック２１のベースとなる底板で、該底板２２は、アルミニウム材料、樹脂材料等を用いて薄肉な円板状に形成されている。そして、底板２２には、全周に亘って多数の膨出部２３，２３，…が設けられ、該各膨出部２３は、底板２２の外周寄りに位置して周方向に４５度間隔で８箇所に配置されている。
【００４７】
ここで、膨出部２３は、図９、図１０に示す如く、底板２２の径方向に長円形状に延びた膨らみとして形成され、その内側位置と外側位置にほぼ半球状の凸部２３Ａ，２３Ｂを有している。また、内側凸部２３Ａと外側凸部２３Ｂとの間は、後述の蓋板２４に接近した位置で内側凸部２３Ａと外側凸部２３Ｂとを接続することにより、蓋板２４との間に後述の絞り通路２６を形成する絞り部２３Ｃとなっている。
【００４８】
２４は底板２２の表面に貼り付けられた蓋板で、該蓋板２４は、アルミニウム材料、樹脂材料等を用いて薄肉な円板状に形成されている。そして、蓋板２４は、底板２２に形成された各膨出部２３を閉塞することにより、該膨出部２３との間に後述の薬粉収容部２５を画成している。
【００４９】
２５は膨出部２３と蓋板２４との間に画成された薬粉収容部で、該薬粉収容部２５内には薬粉が収容されている。また、薬粉収容部２５には、後述の流入穴Ｈ1 と流出穴Ｈ2 との間に位置して絞り通路２６が形成されている。
【００５０】
２６は流入穴Ｈ1 と流出穴Ｈ2 との間に位置して膨出部２３の絞り部２３Ｃと蓋板２４との間に形成された絞り通路で、該絞り通路２６は、薬粉収容部２５内を流入穴Ｈ1 から流出穴Ｈ2 に流れる空気流の流速を速めたり、薬粉収容部２５内に適度な乱流を発生させることにより、薬粉収容部２５内の空気流を薬粉の特性に応じて形成し、薬粉の拡散を良好にするものである。
【００５１】
本実施の形態による吸入式投薬器、ブリスタパック２１は上述の如き構成を有するもので、次に、患者が薬粉を吸入するまでの準備動作および吸入時の空気と薬粉の流れについて、図１１および図１２に従って説明する。
【００５２】
まず、ボディ２のホルダ装着溝６からホルダを取外す。この場合には、ホルダ８に形成された案内溝８Ｅを吸入口７側に配置し、位置決め機構９に抗してホルダ８を引き抜くことによって取外すことができる。
【００５３】
次に、取外したホルダ８の表面側にブリスタパック２１を配置する。このときに、ブリスタパック２１の各膨出部２３（薬粉収容部２５）をホルダ８の各嵌合凹部８Ａに嵌合させることにより、ホルダ８に対しブリスタパック２１を位置決めでき、また両者を一体的に回転させることができる。
【００５４】
このようにブリスタパック２１をホルダ８に載せたら、該ホルダ８をホルダ装着溝６に装着する。この場合には、案内溝８Ｅを吸入口７に向けた状態で、該案内溝８Ｅに中心突起６Ｄを係合し、ホルダ８をホルダ装着溝６内に押し込む。そして、ホルダ８を完全に押し込んだら、該ホルダ８を任意の方向に回転することにより、ホルダ８の係合凹部８Ｄに位置決め機構９の球体９Ｂを係合させる。これにより、ブリスタパック２１の各薬粉収容部２５のうちの一つを穴あけ具１２による穴あけ位置（薬粉の投薬位置）に位置決めすることができる。
【００５５】
次に、薬粉を吸入する場合の動作について説明する。まず、穴あけ位置に配置されたブリスタパック２１に貫通穴をあけるべく、穴あけ具１２の支持部１３を押圧する。そして、図１１、図１２に示すように、一側のピン１４によって膨出部２３と蓋板２４に流入側通気路１０に連通する流入穴Ｈ1 をあけ、他側のピン１４によって膨出部２３と蓋板２４に流出側通気路１１に連通する流出穴Ｈ2 をあける。これにより、ブリスタパック２１の薬粉収容部２５は、流入穴Ｈ1 を介して流入側通気路１０に連通し、流出穴Ｈ2 を介して流出側通気路１１に連通する。
【００５６】
次に、患者が吸入口７を口にくわえ、この状態で息を吸込むと、空気は流入側通気路１０、流入穴Ｈ1 を通って薬粉収容部２５に流入する。このときに、流入穴Ｈ1 から流出穴Ｈ2 に向けて流れる空気流は、絞り通路２６を通過するから、該絞り通路２６は、空気流の流速を速め、適度な乱流を発生することにより、薬粉を拡散し微粒化することができる。これにより、薬粉収容部２５内の薬粉のほぼ全部を空気流と一緒に流出穴Ｈ2 、流出側通気路１１を介して吸入口７側に流出することができ、規定量の薬粉を患者の口内、気管を介して肺内に吸込ませることができる。
【００５７】
さらに、２回目の投薬動作を行なう場合には、ホルダ８を４５度回転させ、隣りの係合凹部８Ｄに位置決め機構９の球体９Ｂを係合させる。そして、上述した穴あけ動作、吸入動作を行なうことにより、連続して薬粉を吸入することができる。このようにして８回の投薬動作を行なったら、ホルダ８を取外してブリスタパック２１を新しいものに交換する。
【００５８】
以上のように、本実施の形態によれば、ブリスタパック２１の薬粉収容部２５には、流入穴Ｈ1 と流出穴Ｈ2 との間に位置して膨出部２３の絞り部２３Ｃにより絞り通路２６を設けているから、この絞り通路２６によって薬粉収容部２５内を流れる空気流を、薬粉に応じて調整することができる。この結果、投与する薬粉の特性、例えば粒の大きさ（微粉末、顆粒等）、凝集性の強さ、１回に投与される薬粉の量等に応じて絞り通路２６の通路面積を調整することにより、薬粉に応じた空気流（乱流）を形成することができるから、薬粉収容部２５に収容された規定量の薬粉を患者に投与することができ、薬粉の効能を高めて信頼性を向上することができる。
【００５９】
しかも、薬粉を収容しているブリスタパック２１自体に絞り通路２６を設けているから、薬粉の種類毎に最適な絞り通路２６を形成することができ、投薬効率をより一層向上することができる。
【００６０】
次に、図１３ないし図１６は本発明の第２の実施の形態を示す。本実施の形態の特徴は、膨出部を貫通して穿設される流入穴と流出穴との間に薬粉を貯留する薬粉溜り部を凹陥して設けたことにある。なお、本実施の形態では、前述した第１の実施の形態と同一の構成要素に同一の符号を付し、その説明を省略するものとする。
【００６１】
３１は第１の実施の形態によるブリスタパック２１に代えて用いられた本実施の形態によるブリスタパックで、該ブリスタパック３１は、後述する底板３２、薬粉溜り部３４、蓋板３５、薬粉収容部３６等によって構成されている。
【００６２】
３２はブリスタパック３１のベースとなる本実施の形態による底板で、該底板３２は、前述した第１の実施の形態による底板２２とほぼ同様に、アルミニウム材料、樹脂材料等を用いて薄肉な円板状に形成され、全周に亘って多数の膨出部３３，３３，…が設けられている。しかし、本実施に形態による底板３２は、各膨出部３３の形状が第１の実施の形態による膨出部２３と異なっている点で第１の実施の形態による底板２２と相違している。
【００６３】
ここで、膨出部３３は、図１４に示す如く、底板３２の径方向に例えば長円形状に延びた膨らみとして形成され、その内側位置には流入穴Ｈ1 があけられる浅底な穴あけ部３３Ａが形成され、外側位置には流出穴Ｈ2 があけられる浅底な穴あけ部３３Ｂが形成されている。また、膨出部３３には、穴あけ部３３Ａ，３３Ｂ間に位置して後述する薬粉溜り部３４が設けられている。
【００６４】
３４は膨出部３３に設けられた空気流調整手段としての薬粉溜り部で、該薬粉溜り部３４は、流入穴Ｈ1 があけられる穴あけ部３３Ａと流出穴Ｈ2 があけられる穴あけ部３３Ｂとの間に位置して深底に形成され、薬粉が溜っている。
【００６５】
一方、３５は底板３２の表面に貼り付けられた蓋板で、該蓋板３５は、前記第１の実施の形態で述べた蓋板２４と同様に、アルミニウム材料、樹脂材料等を用いて薄肉な円板状に形成されている。
【００６６】
また、３６は膨出部３３と蓋板３５との間に画成された薬粉収容部で、該薬粉収容部３６内には薬粉が収容され、この薬粉の一部は薬粉溜り部３４内に溜っている。
【００６７】
本実施の形態によるブリスタパック３１は上述の如き構成を有するもので、次に、吸気動作時における薬粉収容部３６内での空気と薬粉の流れについて図１５および図１６に従って説明する。
【００６８】
まず、ブリスタパック３１に流入穴Ｈ1 と流出穴Ｈ2 をあけ、吸入口７をくわえて空気を吸入すると、その吸気動作の始めには、図１５に示すように、流入穴Ｈ1 から流入した空気流が薬粉溜り部３４の上側に位置する薬粉を巻き上げ、拡散して流出穴Ｈ2 側に供給する。また、吸気動作を数回繰り返すと、薬粉収容部３６内の薬粉が徐々に減少する。このときには、図１６に示すように、流入穴Ｈ1 から流入した空気流は薬粉溜り部３４内に入り込み、該薬粉溜り部３４内の薬粉を上側から徐々に巻き上げ、拡散して流出穴Ｈ2 側に供給することができる。
【００６９】
かくして、本実施の形態によれば、薬粉収容部３６内に収容された薬粉を少量ずつ巻き上げて均一に拡散することができるから、薬粉が一気に流れて流出穴Ｈ2 が詰るような事態を防止することができる。しかも、気管等が弱い患者に対して投薬を行なう場合に、少量ずつ薬粉を吸込ませることができるから、投薬時の咳込みを防止することができ、安定した投薬を行なうことができる。
【００７０】
次に、図１７ないし図２０は本発明の第３の実施の形態を示す。本実施の形態の特徴は、膨出部には該膨出部を貫通して穿設される流入穴側が浅底部となり、流出穴側が深底部となるように傾斜面を設けたことにある。なお、本実施の形態では、前述した第１の実施の形態と同一の構成要素に同一の符号を付し、その説明を省略するものとする。
【００７１】
４１は第１の実施の形態によるブリスタパック２１に代えて用いられた本実施の形態によるブリスタパックで、該ブリスタパック４１は、後述する底板４２、、傾斜面４４、蓋板４５、薬粉収容部４６等によって構成されている。
【００７２】
４２はブリスタパック４１のベースとなる本実施の形態による底板で、該底板４２は、前述した第１の実施の形態による底板２２とほぼ同様に、アルミニウム材料、樹脂材料等を用いて薄肉な円板状に形成され、全周に亘って多数の膨出部４３，４３，…が設けられている。しかし、本実施の形態による底板４２は、各膨出部４３の形状が第１の実施の形態による膨出部２３と異なっている点で第１の実施の形態による底板２２と相違している。
【００７３】
ここで、膨出部４３は、図１８に示す如く、底板４２の径方向に延びる例えば長円形状の膨らみとして形成され、その内側位置、即ち流入穴Ｈ1 があけられる位置は後述の傾斜面４４によって浅底に形成され、外側位置、即ち流出穴Ｈ2 があけられる位置は深底に形成されている。
【００７４】
４４は膨出部４３に設けられた傾斜面で、該傾斜面４４は、流入穴Ｈ1 側となる内側から流出穴Ｈ2 側となる外側に向けて膨出部４３の膨らみが大きくなるように下向きに傾斜して形成されている。
【００７５】
一方、４５は底板４２の表面に貼り付けられた蓋板で、該蓋板４５は、前記第１の実施の形態で述べた蓋板２４と同様に、アルミニウム材料、樹脂材料等を用いて薄肉な円板状に形成されている。
【００７６】
また、４６は膨出部４３と蓋板４５との間に画成された薬粉収容部で、該薬粉収容部４６内には薬粉が収容され、この薬粉は傾斜面４４によって流出穴Ｈ2 側に溜っている。
【００７７】
本実施の形態によるブリスタパック４１は上述の如き構成を有するもので、次に、吸気動作時における薬粉収容部４６内での空気と薬粉の流れについて図１９および図２０に従って説明する。
【００７８】
まず、ブリスタパック４１に流入穴Ｈ1 と流出穴Ｈ2 をあけ、吸入口７をくわえて空気を吸入すると、その吸気動作の始めには、図１９に示すように、流入穴Ｈ1 から流入した空気流が薬粉収容部４６内の薬粉を拡散しつつ、この薬粉を流出穴Ｈ2 側に押すように移動する。そして、流入穴Ｈ1 から流入する空気流は、図２０に示すように、薬粉収容部４６内の薬粉を押出すように流出穴Ｈ2 から一気に流出することができる。
【００７９】
かくして、本実施の形態によれば、流入穴Ｈ1 から流出穴Ｈ2 に流れる空気流によって流出穴Ｈ2 の周囲に移動した薬粉を押出すように一気に流出させることができる。この結果、患者は薬粉収容部４６内に収容された薬粉を短時間で吸入することができるから、患者の負担を軽減することができる。また、この実施の形態は少量の薬粉の投与に適している。
【００８０】
次に、図２１ないし図２４は本発明の第４の実施の形態を示す。本実施の形態の特徴は、膨出部には該膨出部を貫通して穿設される流入穴側が深底部となり、流出穴側が浅底部となるように傾斜面を設けたことにある。なお、本実施の形態では、前述した第１の実施の形態と同一の構成要素に同一の符号を付し、その説明を省略するものとする。
【００８１】
５１は第１の実施の形態によるブリスタパック２１に代えて用いられた本実施の形態によるブリスタパックで、該ブリスタパック５１は、後述する底板５２、傾斜面５４、蓋板５５、薬粉収容部５６等によって構成されている。
【００８２】
５２はブリスタパック５１のベースとなる本実施の形態による底板で、該底板５２は、前述した第１の実施の形態による底板２２とほぼ同様に、アルミニウム材料、樹脂材料等を用いて薄肉な円板状に形成され、全周に亘って多数の膨出部５３，５３，…が設けられている。しかし、本実施に形態による底板５２は、各膨出部５３の形状が第１の実施の形態による膨出部２３と異なっている点で第１の実施の形態による底板２２と相違している。
【００８３】
ここで、膨出部５３は、図２２に示す如く、底板５２の径方向に延びる例えば長円形状の膨らみとして形成され、その内側位置、即ち流入穴Ｈ1 があけられる位置は後述の傾斜面５４によって深底に形成され、外側位置、即ち流出穴Ｈ2 があけられる位置は浅底に形成されている。
【００８４】
５４は膨出部４３に設けられた傾斜面で、該傾斜面５４は、流入穴Ｈ1 側となる内側から流出穴Ｈ2 側となる外側に向けて膨出部４３の膨らみが小さくなるように上向きに傾斜して形成されている。
【００８５】
一方、５５は底板５２の表面に貼り付けられた蓋板で、該蓋板５５は、前記第１の実施の形態で述べた蓋板２４と同様に、アルミニウム材料、樹脂材料等を用いて薄肉な円板状に形成されている。
【００８６】
また、５６は膨出部５３と蓋板５５との間に画成された薬粉収容部で、該薬粉収容部５６内には薬粉が収容され、この薬粉は傾斜面５４によって流入穴Ｈ1 側に溜っている。
【００８７】
本実施の形態によるブリスタパック５１は上述の如き構成を有するもので、ブリスタパック５１に流入穴Ｈ1 と流出穴Ｈ2 をあけ、吸入口７をくわえて空気を吸入すると、その吸気動作の始めには、図２３に示すように、流入穴Ｈ1 から流入した空気流が、該流入穴Ｈ1 側に溜っている薬粉に直接的に当たり、一気に拡散する。これにより、流入穴Ｈ1 から流入する空気流は、図２４に示すように、薬粉収容部５６内で拡散された薬粉を徐々に流出穴Ｈ2 から流出することができる。
【００８８】
かくして、本実施の形態によれば、流入穴Ｈ1 から流入する空気流を薬粉に直接的に当てて該薬粉を拡散することができるから、薬粉収容部５６内で薬粉を拡散して空気中に均一に分散することができ、患者に薬粉を少量ずつ安定して供給することができる。
【００８９】
次に、図２５は本発明の第５の実施の形態を示す。本実施の形態の特徴は、膨出部を貫通して穿設される流入穴と流出穴との間に絞り通路を設け、この絞り通路には吸気動作時に開弁する弁体を設けたことにある。なお、本実施の形態では、前述した第１の実施の形態と同一の構成要素に同一の符号を付し、その説明を省略するものとする。
【００９０】
６１は第１の実施の形態によるブリスタパック２１に代えて用いられた本実施の形態によるブリスタパックで、該ブリスタパック６１は、後述する底板６２、蓋板６４、薬粉収容部６５、絞り通路６６、フラップ弁６７等によって構成されている。
【００９１】
６２はブリスタパック６１のベースとなる本実施の形態による底板で、該底板６２は、前述した第１の実施の形態による底板２２とほぼ同様に、アルミニウム材料、樹脂材料等を用いて薄肉な円板状に形成され、全周に亘って多数の膨出部６３，６３，…が設けられている。また、膨出部６３は、内側凸部６３Ａと外側凸部６３Ｂを有し、該各凸部６３Ａ，６３Ｂ間は絞り部６３Ｃとなっている。
【００９２】
一方、６４は底板６２の表面に貼り付けられた蓋板で、該蓋板６４は、前記第１の実施の形態で述べた蓋板２４とほぼ同様に、アルミニウム材料、樹脂材料等を用いて薄肉な円板状に形成されている。しかし、蓋板６４は、後述する絞り通路６６を開閉するフラップ弁６７が設けられている点で第１の実施の形態による蓋板２４と相違している。
【００９３】
６５は膨出部６３と蓋板６４との間に画成された薬粉収容部で、該薬粉収容部６５内には薬粉が収容されている。
【００９４】
また、６６は前述した第１の実施の形態と同様に形成される流入穴Ｈ1 と流出穴Ｈ2 との間に位置して膨出部６３の絞り部６３Ｃと蓋板６４との間に形成された絞り通路、６７は該絞り通路６６を開閉するように蓋板６４に設けられた弁体としてのフラップ弁で、該フラップ弁６７は、吸気動作時の吸入力が弱い場合には、図２５中に実線で示すように絞り通路６６を閉弁している。そして、吸入力が薬粉を拡散できる程度に強くなったときには、二点鎖線で示すように絞り通路６６を開弁して空気流の流通を許す構成となっている。
【００９５】
かくして、本実施の形態によれば、フラップ弁６７によって吸入力が弱い状態での投薬を規制することができ、空気流が薬粉を十分に拡散できる状態となったときにのみ投薬を許すことができる。さらに吸入力の強弱に対応して間欠的（パルス的）に薬粉を投与することができる。これにより、薬粉を十分に拡散することができ、投薬効率を向上することができる。
【００９６】
なお、第１の実施の形態では、ブリスタパック２１には周方向に８個の膨出部２３（薬粉収容部２５）を設けた場合を例に挙げて説明したが、本発明はこれに限るものではなく、例えば膨出部が２個以上７個未満または９個以上設けられたブリスタパックを用いてもよい。この場合には、ホルダ８の嵌合凹部８Ａ、ピン穴８Ｂ，８Ｃ、係合凹部８Ｄの数を膨出部の数に対応させればよい。また、この構成は第２ないし第５の実施の形態にも適用することができるものである。
【００９７】
また、第１の実施の形態では、膨出部２３を底板２２の径方向に延びる長円形状の膨らみとして形成した場合を例に挙げて説明したが、本発明にこれに限らず、例えば図２６に示す変形例のように、膨出部２３′を瓢箪状に形成してもよい。この場合には、絞り通路の通路面積を小さくすることができ、空気流の流速をより一層速めることができる。
【図面の簡単な説明】
【００９８】
【図１】本発明の第１の実施の形態に適用された吸入式投薬器を示す縦断面図である。
【図２】吸入式投薬器を示す平面図である。
【図３】図１中のボディを単体で示す縦断面図である。
【図４】ボディを図３中の矢示IV−IV方向からみた縦断面図である。
【図５】ボディと位置決め機構を図１中の矢示Ｖ−Ｖ方向からみた横断面図である。
【図６】ホルダを単体で示す平面図である。
【図７】ホルダを単体で示す底面図である。
【図８】本発明の第１の実施の形態によるブリスタパックを底部側からみた外観斜視図である。
【図９】膨出部を単体で示す底面図である。
【図１０】膨出部、薬粉収容部、絞り通路部等を示す要部拡大縦断面図である。
【図１１】ブリスタパックの薬粉収容部内の薬粉を吸入している状態の吸入式投薬器を示す縦断面図である。
【図１２】ブリスタパックの薬粉収容部内での空気と薬粉の流れを示す図１１中の要部拡大縦断面図である。
【図１３】本発明の第２の実施の形態によるブリスタパックを底部側からみた外観斜視図である。
【図１４】図１３中の膨出部、薬粉収容部、薬粉溜り部等を示す要部拡大縦断面図である。
【図１５】吸入動作を始めたときの薬粉収容部内における空気流と薬粉の流れを示すブリスタパックの要部拡大縦断面図である。
【図１６】吸入動作の途中の薬粉収容部内における空気流と薬粉の流れを示すブリスタパックの要部拡大縦断面図である。
【図１７】本発明の第３の実施の形態によるブリスタパックを底部側からみた外観斜視図である。
【図１８】図１７中の膨出部、薬粉収容部、傾斜面等を示す要部拡大縦断面図である。
【図１９】吸入動作を始めたときの薬粉収容部内における空気流と薬粉の流れを示すブリスタパックの要部拡大縦断面図である。
【図２０】吸入動作の途中の薬粉収容部内における空気流と薬粉の流れを示すブリスタパックの要部拡大縦断面図である。
【図２１】本発明の第４の実施の形態によるブリスタパックを底部側からみた外観斜視図である。
【図２２】図２１中の膨出部、薬粉収容部、傾斜面等を示す要部拡大縦断面図である。
【図２３】吸入動作を始めたときの薬粉収容部内における空気流と薬粉の流れを示すブリスタパックの要部拡大縦断面図である。
【図２４】吸入動作の途中の薬粉収容部内における空気流と薬粉の流れを示すブリスタパックの要部拡大縦断面図である。
【図２５】本発明の第５の実施の形態によるブリスタパックの膨出部、蓋板、薬粉収容部、絞り通路、フラップ弁等を示す要部拡大縦断面図である。
【図２６】本発明の変形例による膨出部を単体で示す底面図である。
【符号の説明】
【００９９】
２１，３１，４１，５１，６１  ブリスタパック
２２，３２，４２，５２，６２  底板
２３，３３，４３，５３，６３，２３′  膨出部
２４，３５，４５，５５，６４  蓋板
２５，３６，４６，５６，６５  薬粉収容部
２６，６６  絞り通路
３４  薬粉溜り部
４４，５４  傾斜面
６７  フラップ弁（弁体）
Ｈ1   流入穴
Ｈ2   流出穴
【図１】
2006142102.tif 000003
【図２】
2006142102.tif 000004
【図３】
2006142102.tif 000005
【図４】
2006142102.tif 000006
【図５】
2006142102.tif 000007
【図６】
2006142102.tif 000008
【図７】
2006142102.tif 000009
【図８】
2006142102.tif 000010
【図９】
2006142102.tif 000011
【図１０】
2006142102.tif 000012
【図１１】
2006142102.tif 000013
【図１２】
2006142102.tif 000014
【図１３】
2006142102.tif 000015
【図１４】
2006142102.tif 000016
【図１５】
2006142102.tif 000017
【図１６】
2006142102.tif 000018
【図１７】
2006142102.tif 000019
【図１８】
2006142102.tif 000020
【図１９】
2006142102.tif 000021
【図２０】
2006142102.tif 000022
【図２１】
2006142102.tif 000023
【図２２】
2006142102.tif 000024
【図２３】
2006142102.tif 000025
【図２４】
2006142102.tif 000026
【図２５】
2006142102.tif 000027
【図２６】
2006142102.tif 000028
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
膨出部が形成された底板と、該底板の表面側に設けられ前記膨出部を閉塞して薬粉収容部を画成する蓋板とからなるブリスタパックにおいて、前記膨出部には該膨出部を貫通して穿設される流入穴側が浅底部となり、流出穴側が深底部となるように傾斜面を設けたことを特徴とするブリスタパック。
【手続補正２】
【補正対象書類名】明細書
【補正対象項目名】全文
【補正方法】変更
【補正の内容】
【発明の詳細な説明】
【技術分野】
【０００１】  本発明は、例えば患者の息の吸込みによって薬粉を肺内に投与する吸入式投薬器に用いて好適なブリスタパックに関する。
【背景技術】
【０００２】  一般に、喘息患者等のための薬粉の投与方法のうち、カプセル内に充填された薬粉を吸入する方法に用いる吸入式投薬器は、軸方向の一側がカプセル収容室となり、他側が薬粉を吸入する吸入口となった投薬器本体と、前記カプセル収容室を経由して大気側と吸入口とを連通する通気路と、前記カプセルに該通気路に連通する穴をあける穴あけ具とによって大略構成されている。【０００３】  また、吸入式投薬器には、１回分の薬粉を収容した薬粉収容部が周方向に複数設けられたブリスタパックを用いて薬粉を投与するものが知られている（例えば、特許文献１，２参照）。【０００４】  さらに、この吸入式投薬器に用いられる従来技術のブリスタパックは、多数の膨出部が形成された底板と、該底板の表面側に貼り付けられ前記膨出部を閉塞して薬粉収容部を画成する蓋板とによって大略構成され、薬粉収容部内には粉体状の薬品（薬粉）が収容されている。【０００５】  そして、薬粉を投与するときには、針状をなした１本のプランジャによってブリスタパックに穴をあけ、薬粉収容部を吸入口に連通する。これにより、患者は、吸入口をくわえて息を吸込むことにより、薬粉収容部内の薬粉を吸入口から肺内に吸込むことができる。【０００６】  また、次回の投薬時には、ブリスタパックを回転させ、他の薬粉収容部を吸入口に連通することにより、カプセル等を交換することなく、続けて薬粉を吸入することができる。【０００７】
【特許文献１】特開昭５９−８８１５８号公報
【特許文献２】特開昭６２−４１６６８号公報
【発明の開示】
【発明が解決しようとする課題】
【０００８】  ところで、上述した従来技術によるブリスタパックは、１本のプランジャによってブリスタパックに穴をあけているから、該ブリスタパックには、ほぼ真直に貫通する２個の穴が形成されることになる。このため、薬粉収容部に流入する空気流は、２個の穴間で該薬粉収容部内を直線的に流通するだけである。【０００９】  従って、投与する薬粉の特性、例えば粒の大きさ（微粉末、顆粒等）、凝集性の強さ、１回に投与される薬粉の量等が異なる場合でも、空気流の流速、方向等が一定になってしまう。このため、薬粉収容部内に収容された薬粉を確実に拡散することができないから、該薬粉収容部内に薬粉が残ってしまい、患者に規定量の薬粉を投与することができず、薬粉の効能が低下するという問題がある。【００１０】  本発明は、上述した従来技術の問題に鑑みなされたもので、本発明の目的は、薬粉収容部内に収容された薬粉をその特性に応じて拡散し、投薬効率を向上することができようにしたブリスタパックを提供することにある。
【課題を解決するための手段】
【００１１】  本発明によるブリスタパックは、膨出部が形成された底板と、該底板の表面側に設けられ前記膨出部を閉塞して薬粉収容部を画成する蓋板とからなる。【００１２】  そして、上述した課題を解決するために、請求項１の発明が採用する構成の特徴は、膨出部には該膨出部を貫通して穿設される流入穴側が浅底部となり、流出穴側が深底部となるように傾斜面を設けたことにある。
【発明の効果】
【００１３】 上述した通り、請求項１の発明によれば、膨出部には該膨出部を貫通して穿設される流入穴側が浅底部となり、流出穴側が深底部となるように傾斜面を設けている。これにより、薬粉収容部内の薬粉を傾斜面によって流出穴の周囲に溜った状態とすることができるから、流入穴から流出穴に流れる空気流により流出穴の周囲に溜った薬粉を押出すように一気に流出させることができる。この結果、薬粉収容部内に収容された薬粉を短時間で吸入することができ、患者の負担を軽減することができる。
【発明を実施するための最良の形態】
【００１４】  以下、本発明の実施の形態によるブリスタパックを吸入式投薬器に用いた場合を例に挙げ、添付図面に従って詳細に説明する。【００１５】  まず、図１ないし図１３は本発明の第１の実施の形態を示す。最初に本実施の形態に適用される吸入式投薬器の構成について図１ないし図７を参照して説明する。【００１６】  １は吸入式投薬器の本体をなす投薬器本体で、該投薬器本体１は、後述するボディ２と吸入口７とによって大略構成されている。【００１７】  ２は投薬器本体１のボディで、該ボディ２は、図３、図４に示す如く、後述する上板部４と下板部５とを連結すると共に、吸入口７が取付けられる円筒状の連結部３と、該連結部３から軸方向に延びた半円柱状の上板部４と、該上板部４の下側に隙間をもって前記連結部３から軸方向に延びた半円柱状の下板部５と、該各板部４，５間に形成された後述のホルダ装着溝６とによって構成され、全体としてほぼ円柱状をなしている。また、連結部３の内周側には吸入口７が螺着される雌ねじ３Ａが刻設され、上板部４の外周側には、後述する穴あけ具１２の支持部１３を可動に支持する穴あけ具ガイド４Ａが設けられている。【００１８】  ６はボディ２に設けられたホルダ装着溝で、該ホルダ装着溝６は、連結部３側が溝奥面６Ａとなると共に、上板部４の下面を天井面６Ｂとし、下板部５の上面を底面６Ｃとして形成されている。これにより、ホルダ装着溝６は、軸方向の一側、左方向および右方向の三方向に開口して形成されている。また、溝奥面６Ａは、ホルダ８の外周形状に対応して凹円弧状をなしている。【００１９】  また、ホルダ装着溝６には、底面６Ｃのほぼ中央部に位置して中心突起６Ｄが上向きに突設され、該中心突起６Ｄはホルダ８の回転中心となるもので、後述する案内溝８Ｅに係合する。【００２０】  ７はボディ２の連結部３に取付けられた吸入口で、該吸入口７は、基端側の外周に雄ねじ７Ａが刻設され、先端側が漸次縮径している。また、吸入口７の基端側寄りには、複数個の補助通気孔７Ｂ，７Ｂ，…（２個のみ図示）が径方向に貫通して形成され、該補助通気孔７Ｂは、吸入口７から息を吸込んだときに該吸入口７内に外気を取入れることにより、吸気時の息苦しさを軽減するものである。そして、吸入口７は雄ねじ７Ａを連結部３の雌ねじ３Ａに螺着することにより、ボディ２に取付けられている。【００２１】  ８はボディ２のホルダ装着溝６に着脱可能にして回転可能に装着されたホルダで、該ホルダ８は、図６、図７に示すように、ほぼ円形の板状体として形成されている。また、ホルダ８の表面側には、外周寄りに位置し周方向に４５度の間隔をもって後述するブリスタパック２１の膨出部２３が嵌合する８個の嵌合凹部８Ａ，８Ａ，…が凹設され、該各嵌合凹部８Ａには、ホルダ８の径方向に離間して流入側のピン穴８Ｂと流出側のピン穴８Ｃとが厚さ方向に貫通して形成されている。【００２２】  一方、ホルダ８の裏面側には、流入側の各ピン穴８Ｂよりも内周側で各ピン穴８Ｂ，８Ｃに対応して４５度の間隔で８個の係合凹部８Ｄ，８Ｄ，…が設けられ、該各係合凹部８Ｄには、後述する位置決め機構９の球体９Ｂが係合する。また、ホルダ８の裏面側には、該ホルダ８の回転中心から径方向に延びる案内溝８Ｅが設けられ、該案内溝８Ｅはホルダ装着溝６の中心突起６Ｄをホルダ８の回転中心に案内するものである。【００２３】  そして、ホルダ８は、その表面側に後述するブリスタパック２１を保持した状態で、案内溝８Ｅを中心突起６Ｄに係合させてホルダ装着溝６に差し込むことにより、該ホルダ装着溝６に回転可能に装着される。【００２４】  ９，９はボディ２に設けられた位置決め機構（図５参照）で、該各位置決め機構９は、中心突起６Ｄを挟むように位置し、ホルダ装着溝６の底面６Ｃ（下板部５）に凹設された収容穴９Ａと、該収容穴９Ａに抜止め状態で収容された球体９Ｂと、前記収容穴９Ａ内に位置して該球体９Ｂを突出方向に付勢するコイルばね９Ｃとによって構成されている。【００２５】  そして、位置決め機構９は、ホルダ装着溝６にホルダ８を装着し、この状態で該ホルダ８を回転させたときに、球体９Ｂをホルダ８の係合凹部８Ｄに係合し、各嵌合凹部８Ａ（ブリスタパック２１の薬粉収容部２６）のうちの一つを後述の穴あけ具１２による穴あけ位置、即ち薬粉を投与する投薬位置に位置決めするものである。【００２６】  １０はボディ２に設けられた流入側通気路で、該流入側通気路１０は、外部の空気をホルダ８の嵌合凹部８Ａに向け流通させるものである。そして、流入側通気路１０は、上板部４内を軸方向に延び一端側が上板部４の端面で大気側に開口した上流入通路１０Ａと、下板部５内を軸方向に延び一端側が下板部５の端面で大気側に開口した下流入通路１０Ｂと、穴あけ具ガイド４Ａ内から該各流入通路１０Ａ，１０Ｂの他端に連通するように上板部４と下板部５に亘って径方向に形成されたピン挿通穴１０Ｃとによって構成され、前記ピン挿通穴１０Ｃはホルダ８のピン穴８Ｂと連通可能な位置に形成されている。【００２７】  また、１１はボディ２に設けられた流出側通気路で、該流出側通気路１１は、ブリスタパック２１の薬粉収容部２６内の薬粉を吸入口７側に流出させるものである。そして、流出側通気路１１は、ホルダ８のピン穴８Ｃと連通するように流入側通気路１０のピン挿通穴１０Ｃと平行に延びたピン挿通穴１１Ａと、上板部４から連結部３に亘って軸方向に延び一端側が該ピン挿通穴１１Ａに連通し他端側が吸入口７内に開口した上流出通路１１Ｂと、下板部５から連結部３に亘って軸方向に延び一端側が該ピン挿通穴１１Ａに連通し他端側が吸入口７内に開口した下流出通路１１Ｃとによって構成されている。【００２８】  １２は後述するブリスタパック２１に穴あけを施すための穴あけ具で、該穴あけ具１２は、図１に示すように、穴あけ具ガイド４Ａ内に可動に支持された支持部１３と、基端側が該支持部１３に取付けられ、先端側がピン挿通穴１０Ｃ，１１Ａ内に延びたピン１４，１４と、前記支持部１３と上板部４との間に設けられた戻しばね１５とによって大略構成されている。【００２９】  ここで、穴あけ具１２は、支持部１３を戻しばね１５に抗して穴あけ具ガイド４Ａ内に押込み、ピン１４，１４をピン挿通穴１０Ｃ，１１Ａ内に挿入することにより、該ピン１４，１４の先端をブリスタパック２１に貫通させ、薬粉収容部２６を画成している底板２２の膨出部２３と蓋板２５とにそれぞれ流入穴Ｈ1 と流出穴Ｈ2 （後述する図１０、図１１に図示）をあけるものである。また、支持部１３への押圧力を取除くと、戻しばね１５の付勢力によって該支持部１３、ピン１４，１４が初期位置まで後退する。【００３０】  次に、上述した吸入式投薬器に用いられる本実施の形態によるブリスタパックについて図８ないし図９に従って説明する。【００３１】  ２１は吸入式投薬器に着脱可能に装着される本実施の形態によるブリスタパックで、該ブリスタパック２１は、後述する底板２２、傾斜面２４、蓋板２５、薬粉収容部２６等によって構成されている。【００３２】  ２２はブリスタパック２１のベースとなる底板で、該底板２２は、アルミニウム材料、樹脂材料等を用いて薄肉な円板状に形成されている。そして、底板２２には、全周に亘って多数の膨出部２３，２３，…が設けられ、該各膨出部２３は、底板２２の外周寄りに位置して周方向に４５度間隔で８箇所に配置されている。【００３３】  ここで、膨出部２３は、図９ないし図１３に示す如く、底板２２の径方向に長円形状に延びた膨らみとして形成され、その内側位置、即ち流入穴Ｈ1 があけられる位置は後述の傾斜面２４によって浅底に形成されている。また、膨出部２３の外側位置、即ち流出穴Ｈ2 があけられる位置は深底に形成されている。【００３４】 ２４は膨出部２３に設けられた傾斜面で、該傾斜面２４は、流入穴Ｈ1 側となる内側から流出穴Ｈ2 側となる外側に向けて膨出部２３の膨らみが大きくなるように下向きに傾斜して形成されている。【００３５】 ２５は底板２２の表面に貼り付けられた蓋板で、該蓋板２５は、アルミニウム材料、樹脂材料等を用いて薄肉な円板状に形成されている。そして、蓋板２５は、底板２２に形成された各膨出部２３を閉塞することにより、該膨出部２３との間に後述の薬粉収容部２６を画成している。【００３６】 ２６は膨出部２３と蓋板２５との間に画成された薬粉収容部で、該薬粉収容部２６内には薬粉が収容されている。そして、薬粉収容部２６内の薬粉は、図１２に示す如く傾斜面２４によって流出穴Ｈ2 側に溜っている。【００３７】 本実施の形態による吸入式投薬器、ブリスタパック２１は上述の如き構成を有するもので、次に、患者が薬粉を吸入するまでの準備動作および吸入時の空気と薬粉の流れについて、図１０ないし図１３に従って説明する。【００３８】  まず、ボディ２のホルダ装着溝６からホルダを取外す。この場合には、ホルダ８に形成された案内溝８Ｅを吸入口７側に配置し、位置決め機構９に抗してホルダ８を引き抜くことによって取外すことができる。【００３９】  次に、取外したホルダ８の表面側にブリスタパック２１を配置する。このときに、ブリスタパック２１の各膨出部２３（薬粉収容部２６）をホルダ８の各嵌合凹部８Ａに嵌合させることにより、ホルダ８に対しブリスタパック２１を位置決めでき、また両者を一体的に回転させることができる。【００４０】  このようにブリスタパック２１をホルダ８に載せたら、該ホルダ８をホルダ装着溝６に装着する。この場合には、案内溝８Ｅを吸入口７に向けた状態で、該案内溝８Ｅに中心突起６Ｄを係合し、ホルダ８をホルダ装着溝６内に押し込む。そして、ホルダ８を完全に押し込んだら、該ホルダ８を任意の方向に回転することにより��ホルダ８の係合凹部８Ｄに位置決め機構９の球体９Ｂを係合させる。これにより、ブリスタパック２１の各薬粉収容部２６のうちの一つを穴あけ具１２による穴あけ位置（薬粉の投薬位置）に位置決めすることができる。【００４１】  次に、薬粉を吸入する場合の動作について説明する。まず、穴あけ位置に配置されたブリスタパック２１に貫通穴をあけるべく、穴あけ具１２の支持部１３を押圧する。そして、図１０、図１１に示すように、一側のピン１４によって膨出部２３と蓋板２５に流入側通気路１０に連通する流入穴Ｈ1 をあけ、他側のピン１４によって膨出部２３と蓋板２５に流出側通気路１１に連通する流出穴Ｈ2 をあける。これにより、ブリスタパック２１の薬粉収容部２６は、流入穴Ｈ1 を介して流入側通気路１０に連通し、流出穴Ｈ2 を介して流出側通気路１１に連通する。【００４２】  次に、患者が吸入口７を口にくわえ、この状態で息を吸込むと、空気は流入側通気路１０、流入穴Ｈ1 を通って薬粉収容部２６に流入する。このときに、流入穴Ｈ1 から流出穴Ｈ2 に向けて流れる空気流が、薬粉収容部２６内の薬粉を拡散しつつ、この薬粉を流出穴Ｈ2 側に押すように移動する。そして、流入穴Ｈ1 から流入する空気流は、図１１、図１２、図１３に示すように、薬粉収容部２６内の薬粉を押出すように流出穴Ｈ2 から一気に流出させることができる。これにより、薬粉収容部２６内の薬粉のほぼ全部を空気流と一緒に流出穴Ｈ2 、流出側通気路１１を介して吸入口７側に流出することができ、規定量の薬粉を患者の口内、気管を介して肺内に吸込ませることができる。【００４３】  さらに、２回目の投薬動作を行なう場合には、ホルダ８を４５度回転させ、隣りの係合凹部８Ｄに位置決め機構９の球体９Ｂを係合させる。そして、上述した穴あけ動作、吸入動作を行なうことにより、連続して薬粉を吸入することができる。このようにして８回の投薬動作を行なったら、ホルダ８を取外してブリスタパック２１を新しいものに交換する。【００４４】  以上のように、本実施の形態によれば、ブリスタパック２１の膨出部２３には、膨出部２３を貫通して穿設される流入穴Ｈ1 側が浅底部となり、流出穴Ｈ2 側が深底部となるように傾斜面２４を設けているから、流入穴Ｈ1 から流出穴Ｈ2 に流れる空気流によって流出穴Ｈ2 の周囲に移動した薬粉を押出すように一気に流出させることができる。この結果、患者は薬粉収容部２６内に収容された薬粉を短時間で吸入することができるから、患者の負担を軽減することができる。また、この実施の形態は少量の薬粉の投与に適している。【００４５】 なお、第１の実施の形態では、ブリスタパック２１には周方向に８個の膨出部２３（薬粉収容部２６）を設けた場合を例に挙げて説明したが、本発明はこれに限るものではなく、例えば膨出部が２個以上７個未満または９個以上設けられたブリスタパックを用いてもよい。この場合には、ホルダ８の嵌合凹部８Ａ、ピン穴８Ｂ，８Ｃ、係合凹部８Ｄの数を膨出部の数に対応させればよいものである。
【図面の簡単な説明】
【００４６】
【図１】本発明の第１の実施の形態に適用された吸入式投薬器を示す縦断面図である。
【図２】吸入式投薬器を示す平面図である。
【図３】図１中のボディを単体で示す縦断面図である。
【図４】ボディを図３中の矢示IV−IV方向からみた縦断面図である。
【図５】ボディと位置決め機構を図１中の矢示Ｖ−Ｖ方向からみた横断面図である。
【図６】ホルダを単体で示す平面図である。
【図７】ホルダを単体で示す底面図である。
【図８】本発明の第１の実施の形態によるブリスタパックを底部側からみた外観斜視図である。
【図９】図８中の膨出部、薬粉収容部、傾斜面等を示す要部拡大縦断面図である。
【図１０】ブリスタパックの薬粉収容部内の薬粉を吸入している状態の吸入式投薬器を示す縦断面図である。
【図１１】ブリスタパックの薬粉収容部内での空気と薬粉の流れを示す図１０中の要部拡大縦断面図である。
【図１２】吸入動作を始めたときの薬粉収容部内における空気流と薬粉の流れを示すブリスタパックの要部拡大縦断面図である。
【図１３】吸入動作の途中の薬粉収容部内における空気流と薬粉の流れを示すブリスタパックの要部拡大縦断面図である。
【符号の説明】
【００４７】 ２１  ブリスタパック ２２  底板 ２３  膨出部 ２４ 傾斜面 ２５  蓋板 ２６  薬粉収容部  Ｈ1   流入穴  Ｈ2   流出穴
【手続補正３】
【補正対象書類名】図面
【補正対象項目名】全図
【補正方法】変更
【補正の内容】
【図１】
2006142102.tif 000029
【図２】
2006142102.tif 000030
【図３】
2006142102.tif 000031
【図４】
2006142102.tif 000032
【図５】
2006142102.tif 000033
【図６】
2006142102.tif 000034
【図７】
2006142102.tif 000035
【図８】
2006142102.tif 000036
【図９】
2006142102.tif 000037
【図１０】
2006142102.tif 000038
【図１１】
2006142102.tif 000039
【図１２】
2006142102.tif 000040
【図１３】
2006142102.tif 000041